(57)【特許請求の範囲】
【請求項１】
複数のページからなる文書データと、この文書データに挿入された、文書の分割位置を示す（Ｋ−１）個（Ｋは２以上の整数）の分割位置情報とを取得する文書データ取得手段と、
前記分割位置情報で示される分割位置で分割されるＫ個の文書部分のうち、任意の印刷すべき文書部分を指示する分割印刷指示情報を取得する指示情報取得手段と、
前記文書データ取得手段により得られた前記文書データの、前記Ｋ個の文書部分のデータ中の、前記分割印刷指示情報により印刷すべきとされた文書部分のデータを、出力データとして抽出して画像出力装置に送出する画像処理手段と、
を備えることを特徴とする画像処理装置。
【請求項２】
請求項１の画像処理装置において、
前記分割位置情報は、文書の分割位置を示すマークが付された原稿の、そのマークが画像読取装置により読み取られることによって得られ、前記分割印刷指示情報は、ユーザインタフェースによる利用者の指示により得られることを特徴とする画像処理装置。
【請求項３】
請求項１の画像処理装置において、
前記文書データ、前記分割位置情報および前記分割印刷指示情報は、通信ネットワークを通じて前記文書データ取得手段および前記指示情報取得手段により当該画像処理装置に取り込まれることを特徴とする画像処理装置。
【請求項４】
複数のページからなる文書データと、この文書データに挿入された、文書の印刷開始位置を示す印刷開始位置情報、および文書の印刷終了位置を示す印刷終了位置情報とを取得する文書データ取得手段と、
この文書データ取得手段により得られた前記文書データ中の、前記印刷開始位置情報で示される印刷開始位置から前記印刷終了位置情報で示される印刷終了位置までの文書部分のデータを、出力データとして抽出して画像出力装置に送出する画像処理手段と、
を備えることを特徴とする画像処理装置。
【請求項５】
請求項４の画像処理装置において、
前記印刷開始位置情報および前記印刷終了位置情報は、文書の印刷開始位置を示すマークおよび文書の印刷終了位置を示すマークが付された原稿の、その印刷開始位置を示すマークおよび印刷終了位置を示すマークが画像読取装置により読み取られることによって得られることを特徴とする画像処理装置。
【請求項６】
請求項４の画像処理装置において、
前記文書データ、前記印刷開始位置情報および前記印刷終了位置情報は、通信ネットワークを通じて前記文書データ取得手段により当該画像処理装置に取り込まれることを特徴とする画像処理装置。
【請求項７】
複数のページからなる文書データと、この文書データに挿入された、文書の分割位置を示す（Ｋ−１）個（Ｋは２以上の整数）の分割位置情報とを取得する文書データ取得工程と、
前記分割位置情報で示される分割位置で分割されるＫ個の文書部分のうち、任意の印刷すべき文書部分を指示する分割印刷指示情報を取得する指示情報取得工程と、
前記文書データ取得工程で得られた前記文書データの、前記Ｋ個の文書部分のデータ中の、前記分割印刷指示情報により印刷すべきとされた文書部分のデータを、出力データとして抽出して画像出力装置に送出する工程と、
を備えることを特徴とする画像処理方法。
【請求項８】
複数のページからなる文書データと、この文書データに挿入された、文書の印刷開始位置を示す印刷開始位置情報、および文書の印刷終了位置を示す印刷終了位置情報とを取得する文書データ取得工程と、
この文書データ取得工程で得られた前記文書データ中の、前記印刷開始位置情報で示される印刷開始位置から前記印刷終了位置情報で示される印刷終了位置までの文書部分のデータを、出力データとして抽出して画像出力装置に送出する工程と、
を備えることを特徴とする画像処理方法。
【発明の詳細な説明】
【０００１】
【発明の属する技術分野】
この発明は、複写機やプリンタなどの印刷システム（画像形成システム）の画像処理装置に関する。
【０００２】
【従来の技術】
ページごとの画像データにより、原稿を複写し、または印刷を行う、複写機またはプリンタは、従来、ページ単位で複写または印刷を行うようになっている。
【０００３】
したがって、例えば、複写機で、多数のページからなる文書の一部のみを複写しようとする場合には、その一部が属するページのすべての部分を複写することになる。例えば、１０ページからなる文書の第１ページの始めから第５ページの途中までの部分の複写出力を必要とする場合でも、第１ページから第５ページまでのすべての部分を複写し、また、１０ページからなる文書の第４ページの途中から第６ページの途中までの部分の複写出力を必要とする場合でも、第４ページから第６ページまでのすべての部分を複写する。
【０００４】
【発明が解決しようとする課題】
しかしながら、このように多数のページからなる文書の一部のみを複写しようとする場合に、その一部が属するページのすべての部分が複写されるときは、得られた複写物は、その最初または最後のページに必要でない部分が印刷されたものとなって、文書としての体裁が悪くなる。
【０００５】
例えば、１０ページからなる文書で、第１ページの始めから第４ページの途中までに「第１章」が記載され、第４ページの途中から第６ページの途中までに「第２章」が記載され、第６ページの途中から第１０ページの終りまでに「第３章」が記載されている場合に、「第２章」を複写すべく、第４ページから第６ページまでを複写したときには、その得られた複写物は、第１ページの始めから途中までに「第１章」の一部が印刷され、第３ページの途中から終りまでに「第３章」の一部が印刷されたものとなる。
【０００６】
また、このように文書としての体裁が悪くなるだけでなく、例えば、上記の例で、「第１章」および「第３章」を機密にしたい場合でも、それぞれの一部を機密にできなくなってしまう。
【０００７】
もっとも、例えば、上記の例で、原稿の第４ページの始めから途中までの部分および第６ページの途中から終りまでの部分に、それぞれの部分の複写を阻止するために白紙などを貼り付けて、原稿の第４ページから第６ページまでを複写すれば、得られた複写物は、「第１章」および「第３章」のすべてが印刷されず、体裁がよくなるとともに、機密にしたい部分を完全に機密にすることができる。しかしながら、このようにするのは、手間がかかり、面倒である。
【０００８】
そこで、この発明は、複数のページからなる文書データにより、原稿を複写し、または印刷を行う、複写機やプリンタなどの印刷システムの画像処理装置において、利用者にとって手間のかからない簡易な方法によって、文書の任意のページの任意の部分のみを印刷することができ、得られた複写物ないし印刷物の体裁がよくなるとともに、機密にしたい部分を完全に機密にすることができるようにしたものである。
【０００９】
【課題を解決するための手段】
第１の発明の画像処理装置は、
複数のページからなる文書データと、この文書データに挿入された、文書の分割位置を示す（Ｋ−１）個（Ｋは２以上の整数）の分割位置情報とを取得する文書データ取得手段と、
前記分割位置情報で示される分割位置で分割されるＫ個の文書部分のうち、任意の印刷すべき文書部分を指示する分割印刷指示情報を取得する指示情報取得手段と、
前記文書データ取得手段により得られた前記文書データの、前記Ｋ個の文書部分のデータ中の、前記分割印刷指示情報により印刷すべきとされた文書部分のデータを、出力データとして抽出して画像出力装置に送出する画像処理手段と、
を備えることを特徴とする。
【００１０】
この場合、前記分割位置情報は、文書の分割位置を示すマークが付された原稿の、そのマークが画像読取装置により読み取られることによって得られ、前記分割印刷指示情報は、ユーザインタフェースによる利用者の指示により得られるものとすることができる。
【００１１】
また、この場合、前記文書データ、前記分割位置情報および前記分割印刷指示情報は、通信ネットワークを通じて前記文書データ取得手段および前記指示情報取得手段により当該画像処理装置に取り込まれるものとすることができる。
【００１２】
第２の発明の画像処理装置は、
複数のページからなる文書データと、この文書データに挿入された、文書の印刷開始位置を示す印刷開始位置情報、および文書の印刷終了位置を示す印刷終了位置情報とを取得する文書データ取得手段と、
この文書データ取得手段により得られた前記文書データ中の、前記印刷開始位置情報で示される印刷開始位置から前記印刷終了位置情報で示される印刷終了位置までの文書部分のデータを、出力データとして抽出して画像出力装置に送出する画像処理手段と、
を備えることを特徴とする。
【００１３】
この場合、前記印刷開始位置情報および前記印刷終了位置情報は、文書の印刷開始位置を示すマークおよび文書の印刷終了位置を示すマークが付された原稿の、その印刷開始位置を示すマークおよび印刷終了位置を示すマークが画像読取装置により読み取られることによって得られるものとすることができる。
【００１４】
また、この場合、前記文書データ、前記印刷開始位置情報および前記印刷終了位置情報は、通信ネットワークを通じて前記文書データ取得手段により当該画像処理装置に取り込まれるものとすることができる。
【００１５】
【作用】
上記のように構成した第１の発明の画像処理装置においては、利用者が、あるページのある位置から、あるページのある位置までの文書部分のみを印刷しようとする場合には、利用者は、原稿上のその文書の分割位置に、カラーマーキングや鏡面状シールまたはバーコードの貼付などにより、画像読取装置が文書の分割位置として読み取ることのできるマークを付して、原稿を画像読取装置に読み取らせて、その画像読取装置からの画像データを文書データとして画像処理装置に供給するとともに、ユーザインタフェースにより画像処理装置に分割印刷指示情報を与え、または、文書データの文書の分割位置に分割位置情報を挿入し、その文書データに分割印刷指示情報を付加して、その文書データを通信ネットワークを通じるなどによって画像処理装置に送出する。
【００１６】
これによって、画像処理装置においては、所定ページの所定位置から所定ページの所定位置までの文書部分についての出力データが生成されて、その出力データが画像出力装置に送出される。したがって、画像出力装置において、所定ページの所定位置から所定ページの所定位置までの文書部分のみが印刷される。
【００１７】
例えば、原稿を複写する場合で、５ページからなる原稿の第３ページの途中に一つのマークを付すとともに、マーク前の画像を印刷すべきことを指示したときには、第１ページの始めから第３ページの途中までの画像が印刷される。
【００１８】
また、同じ原稿の第３ページの途中に一つのマークを付すとともに、マーク前の画像およびマーク後の画像を印刷すべきことを指示したときには、第１のジョブとして第１ページの始めから第３ページの途中までの画像が印刷されるとともに、第２のジョブとして第３ページの途中から第５ページの終りまでの画像が印刷される。
【００１９】
また、同じく原稿を複写する場合で、５ページからなる原稿の第２ページの途中および第４ページの途中にそれぞれマークを付すとともに、第１のマークと第２のマークの間の画像を印刷すべきことを指示したときには、第２ページの途中から第４ページの途中までの画像が印刷される。
【００２０】
したがって、得られた複写物ないし印刷物の体裁がよくなるとともに、機密にしたい部分を完全に機密にすることができる。しかも、そのためには利用者は、原稿にマークを付し、または文書データに分割位置情報を挿入するとともに、そのマークないし分割位置情報との関連で分割印刷についての指示をするだけでよく、ほとんど手間がかからない。
【００２１】
上記のように構成した第２の発明の画像処理装置においては、利用者が、あるページのある位置から、あるページのある位置までの文書部分のみを印刷しようとする場合には、利用者は、原稿上のその文書の印刷開始位置および印刷終了位置に、カラーマーキングの色の違いやバーコードの内容の違いなどにより、それぞれ画像読取装置が文書の印刷開始位置および印刷終了位置として読み取ることのできる２種類のマークを付して、原稿を画像読取装置に読み取らせて、その画像読取装置からの画像データを文書データとして画像処理装置に供給し、または、文書データの文書の印刷開始位置および印刷終了位置に印刷開始位置情報および印刷終了位置情報を挿入して、その文書データを通信ネットワークを通じるなどによって画像処理装置に送出する。
【００２２】
これによって、画像処理装置においては、所定ページの所定位置から所定ページの所定位置までの文書部分についての出力データが生成されて、その出力データが画像出力装置に送出される。したがって、画像出力装置において、所定ページの所定位置から所定ページの所定位置までの文書部分のみが印刷される。
【００２３】
例えば、原稿を複写する場合で、５ページからなる原稿の第１ページの始めに印刷開始位置を示すマークを付すとともに、第３ページの途中に印刷終了位置を示すマークを付したときには、第１ページの始めから第３ページの途中までの画像が印刷される。
【００２４】
また、同じ原稿の第１ページの始めに印刷開始位置を示すマークを、第３ページの途中に印刷終了位置を示すマークを、それぞれ付すとともに、第３ページの途中に上記の印刷終了位置を示すマークの後において印刷開始位置を示すマークを、第５ページの終りに印刷終了位置を示すマークを、それぞれ付したときには、第１のジョブとして第１ページの始めから第３ページの途中までの画像が印刷されるとともに、第２のジョブとして第３ページの途中から第５ページの終りまでの画像が印刷される。
【００２５】
また、同じく原稿を複写する場合で、５ページからなる原稿の第２ページの途に印刷開始位置を示すマークを付すとともに、第４ページの途中に印刷終了位置を示すマークを付したときには、第２ページの途中から第４ページの途中までの画像が印刷される。
【００２６】
したがって、得られた複写物ないし印刷物の体裁がよくなるとともに、機密にしたい部分を完全に機密にすることができる。しかも、そのためには利用者は、原稿に２種類のマークを付し、または文書データに印刷開始位置情報および印刷終了位置情報を挿入するだけでよく、ほとんど手間がかからない。
【００２７】
【発明の実施の形態】
〔第１の実施形態〕
図１は、この発明の画像処理装置の一例を備える印刷システムの一実施形態を示し、印刷システムが、通信ネットワーク上に配置されたプリンタ、いわゆるネットワークプリンタとして構成されるとともに、複写機能を有する場合である。
【００２８】
すなわち、この実施形態の印刷システムは、画像読取装置１０、画像処理装置２０、ユーザインタフェース３０、ディスク記憶装置４０および画像出力装置５０を備え、その画像処理装置２０が通信ネットワーク６０に接続されて、構成される。
【００２９】
画像読取装置１０は、デジタル複写機の画像入力部に相当するもので、原稿を光学的に読み取ってページごとの画像データを出力する。この画像読取装置１０からのページごとの画像データは、ページごとの入力画像データとして画像処理装置２０に取り込まれる。
【００３０】
この画像読取装置１０により原稿を複写する場合で、あるページのある位置から、あるページのある位置までの画像部分のみを印刷しようとするときには、利用者は、原稿上のその画像分割位置に、画像分割位置であることを示すマークを付す。そのマークは、画像読取装置１０が原稿上の文字や図形などの画像と区別して読み取ることができ、画像処理装置２０が画像分割位置を示すものであることを認識できるものであれば、いかなる形態のものでもよい。
【００３１】
具体的には、例えば、カラーマーカーによって特定の色のマーキングを、ある程度の大きさにわたって施せばよい。この場合、画像処理装置２０は、特別の構成によることなく、画像読取装置１０からのページごとの入力画像データから、そのマークを分割位置情報として認識し、分離することができる。
【００３２】
また、原稿上の画像分割位置に、アルミ箔などの鏡面状のシールを貼り付け、そのシールからの反射光の、原稿上の文字や図形などの画像部分からの反射光、および原稿の白地部分からの反射光との違いから、そのシールが貼り付けられた画像分割位置を検出するようにしてもよい。
【００３３】
さらに、原稿上の画像分割位置に、原稿上の文字や図形などと区別することのできる簡単な内容のバーコードを印刷したシールを貼り付けるようにしてもよい。また、原稿を損傷してもよければ、原稿上の画像分割位置に切れ込みを入れて、その切れ込み部分をマークとするようにしてもよい。
【００３４】
画像処理装置２０は、デジタル複写機およびプリンタの画像処理部を構成するもので、この例では、システムバス２１にＣＰＵ２２およびＲＡＭ２３が接続され、画像読取装置１０に対するインタフェースであるＩＩＴインタフェース２４、通信ネットワーク６０に対するインタフェースであるネットワークインタフェース２５、ＩＩＴインタフェース２４およびネットワークインタフェース２５に対する入出力ポート２６、ユーザインタフェース３０に対するインタフェースであるＵＩインタフェース２７、ディスク記憶装置４０に対するインタフェースであるディスクインタフェース２８、および画像出力装置５０に対するインタフェースであるＩＯＴインタフェース２９を備える。
【００３５】
ＲＡＭ２３には、後述するような印刷処理ルーチンを含む、ＣＰＵ２２が実行すべき印刷制御プログラムが、あらかじめ書き込まれるとともに、後述するように、分割印刷指示情報、印刷属性情報および分割位置情報や、ページごとの入力画像データなどが書き込まれる。ただし、ＲＡＭ２３の容量の制約から、画像データの記憶用にはディスク記憶装置４０が適宜用いられる。
【００３６】
ユーザインタフェース３０は、画像読取装置１０により原稿を複写する場合に、利用者が複写についての設定をし、かつ上記の分割印刷についての指示をするもので、例えば、操作部としてのタッチパネルと、表示部としてのビットマップディスプレイとを有し、複写時には、これに図２に示すような印刷設定画面３１が表示される。
【００３７】
すなわち、この例は、原稿上に画像分割位置を示すマークを最大で４つ付して、原稿上の画像を最大で５分割することができる場合で、印刷設定画面３１には、それぞれのマークで指示される分割位置が１，２，３，４番目の分割位置として示され、原稿の始めから１番目の分割位置までの間、１番目の分割位置から２番目の分割位置までの間、２番目の分割位置から３番目の分割位置までの間、３番目の分割位置から４番目の分割位置までの間、および４番目の分割位置から原稿の終りまでの間に対応して、それぞれの画像部分を印刷すべきことを指示するキー１Ｎ，２Ｎ，３Ｎ，４Ｎおよび５Ｎと、それぞれの画像部分の印刷を阻止すべきことを指示するキー１Ｆ，２Ｆ，３Ｆ，４Ｆおよび５Ｆとが表示される。
【００３８】
また、印刷設定画面３１には、出力用紙サイズを指示するサイズ指定キー６、印刷部数を入力するためのテンキー７、テンキー７により指示された印刷部数を表示する部数表示部８、および複写開始を指示するスタートキー９が表示される。
【００３９】
そして、例えば、５ページからなる原稿の第１ページの始めから第３ページの途中までの画像のみを複写する場合には、第３ページの途中に一つのマークを付すとともに、印刷設定画面３１においてキー１Ｎおよび２Ｆを押下する。
【００４０】
また、５ページからなる原稿の第３ページの途中から第５ページの終りまでの画像のみを複写する場合には、第３ページの途中に一つのマークを付すとともに、印刷設定画面３１においてキー１Ｆおよび２Ｎを押下する。
【００４１】
また、５ページからなる原稿の第２ページの途中から第４ページの途中までの画像のみを複写する場合には、第２ページの途中に第１のマークを付し、第４ページの途中に第２のマークを付すとともに、印刷設定画面３１においてキー１Ｆ，２Ｎおよび３Ｆを押下する。
【００４２】
このようにキー１Ｎ〜５Ｎ，１Ｆ〜５Ｆの操作により得られた、分割印刷についての指示の情報は、図３に示すように、ＲＡＭ２３の印刷制御プログラムおよび各種情報の記憶領域Ａ１に書き込まれる。また、サイズ指定キー６により指示された出力用紙サイズ、および部数表示部８に表示された印刷部数も、印刷属性情報として記憶領域Ａ１に書き込まれる。
【００４３】
記憶領域Ａ１には、さらに、画像読取装置１０からの上記のマークの読み取りデータから、ＣＰＵ２２の解析により得られた分割位置情報、すなわち画像をいずれのページのいずれの位置で分割するかを示す情報が書き込まれる。
【００４４】
また、画像読取装置１０からのページごとの入力画像データは、ＲＡＭ２３の別の記憶領域Ａ２に書き込まれる。ただし、上述したように画像データの記憶用にはディスク記憶装置４０が適宜用いられる。また、記憶領域Ａ１には、入力画像データへのポインタが書き込まれる。
【００４５】
画像出力装置５０は、デジタル複写機およびプリンタの画像出力部を構成するもので、画像処理装置２０からの出力画像データにより、用紙またはその他の画像形成媒体上に画像を形成する、電子写真方式またはその他の方式の画像形成装置である。
【００４６】
通信ネットワーク６０には、パーソナルコンピュータやワークステーションなどからなるジョブ発行装置７０から上記の印刷システムに対して、画像情報に出力用紙サイズや印刷部数などの印刷属性情報が付加された印刷ジョブが発行される。ただし、この場合、その画像情報は、ページ記述言語などで表現されて画像処理装置２０においてページごとの画像データに展開されるものではなく、ページごとの画像データそのものとされる。
【００４７】
そして、このジョブ発行装置７０からの印刷ジョブにより画像を印刷する場合で、あるページのある位置から、あるページのある位置までの画像部分のみを印刷しようとするときには、ジョブ発行者は、ページごとの画像データのその画像分割位置に分割位置情報を挿入し、その分割位置情報が挿入された画像データに分割印刷についての指示の情報を付加して、ジョブを発行する。
【００４８】
分割位置情報は、画像読取装置１０により原稿を複写する場合における上述したマークの読み取りデータと同様のデータでよく、分割印刷指示情報は、画像読取装置１０により原稿を複写する場合における上述したユーザインタフェース３０の印刷設定画面３１のキー１Ｎ〜５Ｎ，１Ｆ〜５Ｆの操作により得られるものと同様のものでよい。
【００４９】
図４は、画像読取装置１０により原稿を複写する場合に画像処理装置２０のＣＰＵ２２が実行する印刷処理ルーチンの一例を示し、その印刷処理ルーチン１００は、利用者が上記のようにマークを付した原稿を画像読取装置１０にセットし、ユーザインタフェース３０の印刷設定画面３１で上記のように分割印刷についての指示と出力用紙サイズおよび印刷部数の指定をした上で、スタートキー９を操作することによって、印刷処理を開始する。
【００５０】
そして、処理開始後、まずステップ１０１において、ユーザインタフェース３０から分割印刷指示情報を取り込み、画像読取装置１０からページごとの入力画像データとマークの読み取りデータを取り込んで、分割印刷指示情報をＲＡＭ２３に書き込み、入力画像データをＲＡＭ２３ないしディスク記憶装置４０に書き込むとともに、マークの読み取りデータを、画像をいずれのページのいずれの位置で分割するかを示す分割位置情報に変換して、その分割位置情報をＲＡＭ２３に書き込む。
【００５１】
次に、ステップ１０２に進んで、分割位置のカウント値ｉを１にし、さらにステップ１０３に進んで、ＲＡＭ２３に書き込んだ分割印刷指示情報から、（ｉ−１）番目の分割位置からｉ番目の分割位置までの画像を印刷するか否かを判断する。ｉ＝１のときの（ｉ−１）番目、すなわち０番目の分割位置は、図２に示したように原稿の始めである。
【００５２】
すなわち、図５（Ａ）に示すように、第１ページＰ１から第５ページＰ５までの５ページにわたる原稿の第３ページＰ３の途中に一つのマークＭが付された場合には、マークＭが１番目の分割位置を示すので、ｉ＝１のとき、ステップ１０３では、第１ページＰ１の始めから第３ページＰ３の途中までの画像を印刷するか否かが判断される。
【００５３】
また、図６（Ａ）に示すように、第１ページＰ１から第５ページＰ５までの５ページにわたる原稿の第２ページＰ２の途中および第４ページＰ４の途中にマークＭ１およびＭ２が付された場合には、マークＭ１が１番目の分割位置を示すので、ｉ＝１のとき、ステップ１０３では、第１ページＰ１の始めから第２ページＰ２の途中までの画像を印刷するか否かが判断される。
【００５４】
ステップ１０３で、（ｉ−１）番目の分割位置からｉ番目の分割位置までの画像を印刷すると判断したときには、ステップ１０３からステップ１０４に進んで、ＲＡＭ２３ないしディスク記憶装置４０に書き込んだ入力画像データ、およびＲＡＭ２３に書き込んだ分割位置情報から、その（ｉ−１）番目の分割位置からｉ番目の分割位置までの画像を印刷するための出力画像データを生成して、すなわち入力画像データ中の（ｉ−１）番目の分割位置からｉ番目の分割位置までの画像部分の画像データを一つのジョブの出力画像データとして抽出して、ＲＡＭ２３ないしディスク記憶装置４０に書き込んだ後、ステップ１０５に進む。
【００５５】
例えば、図５（Ａ）に示したように第３ページＰ３の途中に一つのマークＭが付されるとともに、マークＭの前の画像のみを印刷すべきことが指示された場合、またはマークＭの前の画像およびマークＭの後の画像を印刷すべきことが指示された場合には、ｉ＝１のとき、ステップ１０４において、第１ページＰ１の始めから第３ページＰ３の途中までの画像を印刷するための出力画像データが生成され、ＲＡＭ２３ないしディスク記憶装置４０に書き込まれる。
【００５６】
また、図６（Ａ）に示したように第２ページＰ２の途中および第４ページＰ４の途中にマークＭ１およびＭ２が付されるとともに、マークＭ１の前の画像およびマークＭ２の後の画像を印刷すべきことが指示された場合には、ｉ＝１のとき、ステップ１０４において、第１ページＰ１の始めから第２ページＰ２の途中までの画像を印刷するための出力画像データが生成され、ＲＡＭ２３ないしディスク記憶装置４０に書き込まれる。
【００５７】
ステップ１０３で、（ｉ−１）番目の分割位置からｉ番目の分割位置までの画像を印刷しないと判断したときには、ステップ１０３から直接、ステップ１０５に進む。
【００５８】
例えば、図５（Ａ）に示したように第３ページＰ３の途中に一つのマークＭが付されるとともに、マークＭの後の画像のみを印刷すべきことが指示された場合には、ｉ＝１のとき、ステップ１０３から直接、ステップ１０５に進む。
【００５９】
また、図６（Ａ）に示したように第２ページＰ２の途中および第４ページＰ４の途中にマークＭ１およびＭ２が付されるとともに、マークＭ１とマークＭ２の間の画像のみを印刷すべきことが指示された場合には、ｉ＝１のとき、ステップ１０３から直接、ステップ１０５に進む。
【００６０】
ステップ１０５では、ｉを１だけインクリメントし、さらにステップ１０６に進んで、そのインクリメント後のｉが、原稿上に付されたマークの数に１をプラスした数であるＫを超えたか否かを判断する。そして、ｉがＫを超えていないときには、ステップ１０６からステップ１０３に戻って、ステップ１０３〜１０６を繰り返し、ｉがＫを超えたときには、ステップ１０６からステップ１０７に進む。
【００６１】
図５（Ａ）のように原稿上に１つのマークＭが付された場合には、Ｋ＝２であり、図６（Ａ）のように原稿上に２つのマークＭ１およびＭ２が付された場合には、Ｋ＝３であって、いずれの場合にも、ステップ１０５でｉが１から２にインクリメントされた後、ステップ１０６でｉがＫを超えていないと判断されて、ステップ１０３〜１０６が繰り返される。
【００６２】
すなわち、図５（Ａ）のように第３ページＰ３の途中に一つのマークＭが付されるとともに、マークＭの後の画像のみを印刷すべきことが指示された場合、またはマークＭの前の画像およびマークＭの後の画像を印刷すべきことが指示された場合には、ｉ＝２のとき、ステップ１０３での判断に基づいて、ステップ１０４において、第３ページＰ３の途中から第５ページＰ５の終りまでの画像を印刷するための出力画像データが生成され、ＲＡＭ２３ないしディスク記憶装置４０に書き込まれる。
【００６３】
また、図５（Ａ）のように第３ページＰ３の途中に一つのマークＭが付されるとともに、マークＭの前の画像のみを印刷すべきことが指示された場合には、ｉ＝２のとき、ステップ１０３から直接、ステップ１０５に進む。
【００６４】
また、図６（Ａ）のように第２ページＰ２の途中および第４ページＰ４の途中にマークＭ１およびＭ２が付されるとともに、マークＭ１とマークＭ２の間の画像のみを印刷すべきことが指示された場合には、ｉ＝２のとき、ステップ１０３での判断に基づいて、ステップ１０４において、第２ページＰ２の途中から第４ページＰ４の途中までの画像を印刷するための出力画像データが生成され、ＲＡＭ２３ないしディスク記憶装置４０に書き込まれる。
【００６５】
さらに、図６（Ａ）のように第２ページＰ２の途中および第４ページＰ４の途中にマークＭ１およびＭ２が付されるとともに、マークＭ１の前の画像およびマークＭ２の後の画像を印刷すべきことが指示された場合には、ｉ＝２のとき、ステップ１０３から直接、ステップ１０５に進む。
【００６６】
このように、ｉ＝２のときに、ステップ１０３および１０４、またはステップ１０３での処理を経た後には、ステップ１０５で、ｉが２から３にインクリメントされ、ステップ１０６で、そのインクリメント後のｉが上記のＫを超えたか否かが判断される。
【００６７】
そして、図５（Ａ）のように原稿上に１つのマークＭが付された場合には、ｉが２から３にインクリメントされることによって、ｉがＫを超えるので、ステップ１０６からステップ１０７に進み、後述するように印刷が実行される。また、図６（Ａ）のように原稿上に２つのマークＭ１およびＭ２が付された場合には、ｉが２から３にインクリメントされても、いまだｉはＫを超えないので、さらにステップ１０３〜１０６が繰り返される。
【００６８】
すなわち、図６（Ａ）のように第２ページＰ２の途中および第４ページＰ４の途中にマークＭ１およびＭ２が付されるとともに、マークＭ１の前の画像およびマークＭ２の後の画像を印刷すべきことが指示された場合には、ｉ＝３のとき、ステップ１０３での判断に基づいて、ステップ１０４において、第４ページＰ４の途中から第５ページＰ５の終りまでの画像を印刷するための出力画像データが生成され、ＲＡＭ２３ないしディスク記憶装置４０に書き込まれる。
【００６９】
また、図６（Ａ）のように第２ページＰ２の途中および第４ページＰ４の途中にマークＭ１およびＭ２が付されるとともに、マークＭ１とマークＭ２の間の画像のみを印刷すべきことが指示された場合には、ｉ＝３のとき、ステップ１０３から直接、ステップ１０５に進む。
【００７０】
このように、ｉ＝３のときに、ステップ１０３および１０４、またはステップ１０３での処理を経た後には、ステップ１０５で、ｉが３から４にインクリメントされ、ステップ１０６で、そのインクリメント後のｉが上記のＫを超えたか否かが判断される。
【００７１】
そして、図６（Ａ）のように原稿上に２つのマークＭ１およびＭ２が付された場合には、ｉが３から４にインクリメントされることによって、ｉがＫを超えるので、ステップ１０６からステップ１０７に進み、次に示すように印刷が実行される。
【００７２】
ステップ１０７では、それまでにＲＡＭ２３ないしディスク記憶装置４０に書き込まれた出力画像データが順次、ＲＡＭ２３ないしディスク記憶装置４０から読み出されて、出力用紙サイズおよび印刷部数を指示する印刷属性情報とともに画像出力装置５０に送出され、画像出力装置５０において印刷が実行される。
【００７３】
すなわち、図５（Ａ）に示したように５ページにわたる原稿の第３ページＰ３の途中に一つのマークＭが付されるとともに、マークＭの前の画像のみを印刷すべきことが指示された場合には、原稿の第１ページＰ１の始めから第３ページＰ３の途中までの画像についての出力画像データによって、同図（Ｂ）に示すように、出力用紙の第１ページＱ１および第２ページＱ２に、それぞれ原稿の第１ページＰ１および第２ページＰ２の画像がそのまま印刷され、出力用紙の第３ページＱ３に、原稿の第３ページＰ３の途中までの画像部分が印刷される。
【００７４】
また、マークＭの後の画像のみを印刷すべきことが指示された場合には、原稿の第３ページＰ３の途中から第５ページＰ５の終りまでの画像についての出力画像データによって、同図（Ｃ）に示すように、出力用紙の第１ページＱ１に、原稿の第３ページＰ３の途中からの画像部分が印刷され、出力用紙の第２ページＱ２および第３ページＱ３に、それぞれ原稿の第４ページＰ４および第５ページＰ５の画像がそのまま印刷される。
【００７５】
さらに、マークＭの前の画像およびマークＭの後の画像を印刷すべきことが指示された場合には、原稿の第１ページＰ１の始めから第３ページＰ３の途中までの画像についての第１のジョブの出力画像データによって、同図（Ｄ）の上段に示すように、出力用紙の第１〜第３ページＱ１〜Ｑ３に、同図（Ｂ）に示したのと同じ印刷出力が得られるとともに、原稿の第３ページＰ３の途中から第５ページＰ５の終りまでの画像についての第２のジョブの出力画像データによって、同図（Ｄ）の下段に示すように、出力用紙の第４〜第６ページＱ４〜Ｑ６に、同図（Ｃ）に示したのと同じ印刷出力が得られる。
【００７６】
図６（Ａ）に示したように５ページにわたる原稿の第２ページＰ２の途中および第４ページＰ４の途中にマークＭ１およびＭ２が付されるとともに、マークＭ１とマークＭ２の間の画像のみを印刷すべきことが指示された場合には、原稿の第２ページＰ２の途中から第４ページＰ４の途中までの画像についての出力画像データによって、同図（Ｂ）に示すように、出力用紙の第１ページＱ１に、原稿の第２ページＰ２の途中からの画像部分が印刷され、出力用紙の第２ページＱ２に、原稿の第３ページＰ３の画像がそのまま印刷され、出力用紙の第３ページＱ３に、原稿の第４ページＰ４の途中までの画像部分が印刷される。
【００７７】
また、マークＭ１の前の画像およびマークＭ２の後の画像を印刷すべきことが指示された場合には、原稿の第１ページＰ１の始めから第２ページＰ２の途中までの画像についての第１のジョブの出力画像データによって、同図（Ｃ）の左側に示すように、出力用紙の第１ページＱ１に、原稿の第１ページＰ１の画像がそのまま印刷され、出力用紙の第２ページＱ２に、原稿の第２ページＰ２の途中までの画像部分が印刷されるとともに、原稿の第４ページＰ４の途中から第５ページＰ５の終りまでの画像についての第２のジョブの出力画像データによって、同図（Ｃ）の右側に示すように、出力用紙の第３ページＱ３に、原稿の第４ページＰ４の途中からの画像部分が印刷され、出力用紙の第４ページＱ４に、原稿の第５ページＰ５の画像がそのまま印刷される。
【００７８】
なお、このように原稿の第２ページＰ２の途中および第４ページＰ４の途中にマークＭ１およびＭ２を付すとともに、図２の印刷設定画面３１においてキー１Ｎ，２Ｆおよび３Ｆを押下することによって、マークＭ１の前の画像のみを印刷すべきことを指示した場合には、図６（Ｄ）に示すように、出力用紙の第１、第２ページＱ１，Ｑ２に、同図（Ｃ）の左側に示したのと同じ印刷出力が得られる。
【００７９】
同様にマークＭ１およびＭ２を付すとともに、印刷設定画面３１においてキー１Ｎ，２Ｎおよび３Ｆを押下することによって、マークＭ１の前の画像およびマークＭ１とマークＭ２の間の画像を印刷すべきことを指示した場合には、図６（Ｄ）に示したような印刷出力と、同図（Ｂ）に示したような印刷出力とが得られる。
【００８０】
また、同様にマークＭ１およびＭ２を付すとともに、印刷設定画面３１においてキー１Ｆ，２Ｆおよび３Ｎを押下することによって、マークＭ２の後の画像のみを印刷すべきことを指示した場合には、図６（Ｅ）に示すように、出力用紙の第１、第２ページＱ１，Ｑ２に、同図（Ｃ）の右側に示したのと同じ印刷出力が得られる。
【００８１】
同様にマークＭ１およびＭ２を付すとともに、印刷設定画面３１においてキー１Ｆ，２Ｎおよび３Ｎを押下することによって、マークＭ１とマークＭ２の間の画像およびマークＭ２の後の画像を印刷すべきことを指示した場合には、図６（Ｂ）に示したような印刷出力と、同図（Ｅ）に示したような印刷出力とが得られる。
【００８２】
図７（Ａ）に示すように、原稿の同一ページＰｎに２つのマークＭａおよびＭｂを付すこともできる。この場合、マークＭａとマークＭｂの間の画像のみを印刷すべきことを指示した場合には、同図（Ｂ）に示すように、マークＭａとマークＭｂの間の画像のみを印刷することができ、逆にマークＭａとマークＭｂの間の画像の印刷を阻止すべきことを指示した場合には、図示していないが、マークＭａとマークＭｂの間の画像の印刷が阻止される。
【００８３】
以上の例は、画像読取装置１０により原稿を複写する場合であるが、ジョブ発行装置７０からの印刷ジョブにより画像を印刷する場合も、ジョブ発行者がページごとの画像データに分割位置情報を挿入し、分割印刷指示情報を付加して、ジョブを発行する点を除いて、全く同様である。
【００８４】
そして、上述した第１の実施形態によれば、得られた複写物ないし印刷物の体裁がよくなるとともに、機密にしたい部分を完全に機密にすることができる。しかも、そのためには利用者は、原稿にマークを付し、または画像データに分割位置情報を挿入するとともに、そのマークないし分割位置情報との関連で分割印刷についての指示をするだけでよく、ほとんど手間がかからない。
【００８５】
〔第２の実施形態〕
上述した第１の実施形態は、マークないし分割位置情報として一種類のものを用いる場合であるが、マークないし分割位置情報として、画像の印刷開始位置を示すマークないし情報と、画像の印刷終了位置を示すマークないし情報との２種類を用いることもできる。
【００８６】
すなわち、画像読取装置１０により原稿を複写する場合で、あるページのある位置から、あるページのある位置までの画像部分のみを印刷しようとするときには、利用者は、原稿上のその画像印刷開始位置に、印刷開始位置であることを示すマークを付すとともに、原稿上のその画像印刷終了位置に、印刷終了位置であることを示すマークを付す。
【００８７】
印刷開始位置を示すマークおよび印刷終了位置を示すマークは、画像読取装置１０が原稿上の文字や図形などの画像と区別して読み取ることができるとともに、両者を互いに区別して読み取ることができ、画像処理装置２０が印刷開始位置および印刷終了位置を示すものであることを認識できるものであれば、いかなる形態のものでもよい。
【００８８】
例えば、カラーマーカーによってマーキングする場合には、印刷開始位置を示すマークと印刷終了位置を示すマークでは、色を変える。また、バーコードを印刷したシールの貼付によってマーキングする場合には、印刷開始位置を示すマークと印刷終了位置を示すマークでは、バーコードの内容を変える。
【００８９】
この場合、画像処理装置２０は、印刷開始位置を示すマークおよび印刷終了位置を示すマークの読み取りデータを含む画像読取装置１０からの入力画像データから、画像の印刷開始位置および印刷終了位置を区別して認識できるものとする必要があるが、利用者は、ユーザインタフェース３０において上述したような分割印刷についての指示をする必要がない。
【００９０】
例えば、図５（Ａ）に示したような５ページにわたる原稿の、第１ページＰ１の始めから第３ページＰ３の途中までの画像のみを印刷しようとする場合には、第１ページＰ１の始めに印刷開始位置を示すマークを付すとともに、第３ページＰ３の途中に印刷終了位置を示すマークを付す。これによって、同図（Ｂ）に示したような印刷出力が得られる。
【００９１】
また、同じ原稿の第１ページＰ１の始めから第３ページＰ３の途中までの画像、および第３ページＰ３の途中から第５ページＰ５の終りまでの画像を、別個に印刷しようとする場合には、第１ページＰ１の始めに印刷開始位置を示すマークを、第３ページＰ３の途中に印刷終了位置を示すマークを、それぞれ付すとともに、第３ページＰ３の途中に上記の印刷終了位置を示すマークの後において印刷開始位置を示すマークを、第５ページＰ５の終りに印刷終了位置を示すマークを、それぞれ付す。これによって、同図（Ｄ）に示したような印刷出力が得られる。
【００９２】
さらに、図６（Ａ）に示したような５ページにわたる原稿の、第２ページＰ２の途中から第４ページＰ４の途中までの画像のみを印刷しようとする場合には、第２ページＰ２の途中に印刷開始位置を示すマークを付すとともに、第４ページＰ４の途中に印刷終了位置を示すマークを付す。これによって、同図（Ｂ）に示したような印刷出力が得られる。
【００９３】
このように印刷するための印刷処理ルーチンは、もちろん図４に示した印刷処理ルーチン１００とは変えて、入力画像データの印刷開始位置を示すマークから印刷終了位置を示すマークまでの画像部分の画像データを順次、出力画像データとして抽出してＲＡＭ２３ないしディスク記憶装置４０に書き込み、すべての抽出、書き込み後、ＲＡＭ２３ないしディスク記憶装置４０から読み出して、画像出力装置５０に送出するものとする。
【００９４】
ジョブ発行装置７０からの印刷ジョブにより画像を印刷する場合も、ジョブ発行者がページごとの画像データに印刷開始位置情報および印刷終了位置情報を挿入してジョブを発行する点を除いて、全く同様である。
【００９５】
そして、この第２の実施形態によれば、上述した第１の実施形態と同様に、得られた複写物ないし印刷物の体裁がよくなるとともに、機密にしたい部分を完全に機密にすることができる。しかも、そのためには利用者は、原稿に２種類のマークを付し、または画像データに印刷開始位置情報および印刷終了位置情報を挿入するだけでよく、ほとんど手間がかからない。
【００９６】
〔他の実施形態〕
マークないし分割位置情報によって分割される、それぞれの画像部分ごとに、出力用紙サイズや印刷部数などの印刷属性を変えて、印刷することも可能である。
【００９７】
また、ページごとの画像データの複数ページ分を１枚の用紙の片面に印刷する、いわゆるＮアップと組み合わせて、例えば、図６（Ａ）に示したように原稿の第２ページＰ２の途中および第４ページＰ４の途中にマークＭ１およびＭ２を付すとともに、マークＭ１とマークＭ２の間の画像のみを印刷すべきことを指示した場合に、図８に示すように、出力用紙の１ページの左上の領域Ｒ１に原稿の第２ページＰ２の途中からの画像部分が印刷され、右上の領域Ｒ２に原稿の第３ページＰ３の画像がそのまま印刷され、左下の領域Ｒ３に原稿の第４ページＰ４の途中までの画像部分が印刷され、右下の領域Ｒ４には画像が印刷されないような印刷出力を得ることもできる。
【００９８】
さらに、上述した実施形態は、画像読取装置１０により、またはジョブ発行装置７０から通信ネットワーク６０を介して、画像処理装置２０に画像データを取り込む場合であるが、ページごとの画像データに、分割位置情報を挿入し、分割印刷指示情報を付加した、または印刷開始位置情報および印刷終了位置情報を挿入した画像データを、フロッピーディスクなどの記憶装置に書き込み、その記憶装置から読み出した画像データを、通信ネットワークを介することなく画像処理装置２０に取り込むことによって、上述した印刷を行うようにすることもできる。
【００９９】
【発明の効果】
この発明によれば、複数のページからなる文書データにより、原稿を複写し、または印刷を行う、複写機やプリンタなどの印刷システムの画像処理装置において、利用者にとって手間のかからない簡易な方法によって、文書の任意のページの任意の部分のみを印刷することができ、得られた複写物ないし印刷物の体裁がよくなるとともに、機密にしたい部分を完全に機密にすることができる。
【図面の簡単な説明】
【図１】この発明の画像処理装置の一例を備える印刷システムの一実施形態を示す図である。
【図２】図１の印刷システムのユーザインタフェースの印刷設定画面の一例を示す図である。
【図３】図１の画像処理装置のＲＡＭに書き込まれる情報の一例を示す図である。
【図４】図１の画像処理装置のＣＰＵが実行する印刷処理ルーチンの一例を示す図である。
【図５】分割印刷の説明に供する図である。
【図６】分割印刷の説明に供する図である。
【図７】分割印刷の説明に供する図である。
【図８】分割印刷の説明に供する図である。
【符号の説明】
１０  画像読取装置
２０  画像処理装置
３０  ユーザインタフェース
３１  印刷設定画面
４０  ディスク記憶装置
５０  画像出力装置
６０  通信ネットワーク
７０  ジョブ発行装置
Ｍ，Ｍ１，Ｍ２  マーク
【図１】
0003659280.tif 000002
【図２】
0003659280.tif 000003
【図３】
0003659280.tif 000004
【図４】
0003659280.tif 000005
【図５】
0003659280.tif 000006
【図６】
0003659280.tif 000007
【図７】
0003659280.tif 000008
【図８】
0003659280.tif 000009